(57)【要約】【課題】突入電流制限回路の焼損を防止し、かつリレーが動作しない場合においても簡易的な手法でエラー表示などの最低限の動作が可能な突入電流制限回路を含む電源回路を備えた空気調和機とする。【解決手段】交流電源に接続され、突入電流制限抵抗と温度ヒューズを有する突入電流制限回路と、突入電流制限回路に接続され、交流を直流に変換する整流回路と、整流回路に接続されたインバータを備えて負荷に給電する電源回路を備えた空気調和機であって、突入電流制限回路は、突入電流制限抵抗と温度ヒューズとを直列に接続した第1の回路と、第１の回路に並列に接続され、リレー接点と電流検出回路を直列に接続した第２の回路とを有し、空気調和機への電源接続後所定時間経過したときに、又は、空気調和機の運転を開始したときに、電流検出回路で電流が検出されない場合、外部に報知し、又は、表示することを特徴とする空気調和機。【選択図】図３
2016213956.tif 000002
【特許請求の範囲】
【請求項１】
交流電源に接続され、突入電流制限抵抗と温度ヒューズを有する突入電流制限回路と、
前記突入電流制限回路に接続され、交流を直流に変換する整流回路と、
前記整流回路に接続されたインバータを備えて負荷に給電する電源回路を備えた空気調和機であって、
前記突入電流制限回路は、前記突入電流制限抵抗と前記温度ヒューズとを直列に接続した第1の回路と、前記第１の回路に並列に接続され、リレー接点と電流検出回路を直列に接続した第２の回路とを有し、
前記空気調和機への電源接続後所定時間経過したときに、又は、前記空気調和機の運転を開始したときに、前記電流検出回路で電流が検出されない場合、外部に報知し、又は、表示することを特徴とする空気調和機。
【請求項２】
請求項１に記載の空気調和機であって、
前記温度ヒューズは、前記電源回路の前記負荷の待機動作、および前記外部報知又は表示のための故障表示動作で消費される電力では溶断することなく、前記リレー接点のオープン故障時に溶断することを特徴とする空気調和機。
【請求項３】
請求項１または請求項２に記載の空気調和機であって、
前記突入電流制限抵抗は前記リレー接点が開状態時に突入電流を制限すると共に、前記リレー接点が開状態においても前記電源回路の前記負荷の待機動作および、および前記外部報知又は表示のための故障表示等、負荷運転を伴わない動作が可能であることを特徴とする空気調和機。
【請求項４】
請求項１から請求項３のいずれか１項に記載の空気調和機であって、
前記電流検出回路から前記第１の回路に流れる電流を検知し、前記リレー接点の操作および前記外部報知又は表示のための故障表示動作を行うマイコンを備え、
該マイコンは、前記電源回路の前記整流回路直流側から制御用電源を確保して駆動されることを特徴とする空気調和機。
【請求項５】
請求項１から請求項３のいずれか１項に記載の空気調和機であって、
前記電流検出回路から前記第１の回路に流れる電流を検知し、前記リレー接点の操作および前記外部報知又は表示のための故障表示動作を行うマイコンを備え、
該マイコンは、前記電源回路の前記突入電流制限回路の前記交流電源側から制御用電源を確保して駆動されることを特徴とする空気調和機。
【請求項６】
請求項４または請求項５に記載の空気調和機であって、
前記マイコンは電源が投入されると待機状態となり、前記待機状態の場合には前記リレー接点を開状態に制御し、リモコン等の操作により前記電源回路の負荷の待機状態が解除され運転が開始すると前記リレー接点を閉状態に制御することを特徴とする空気調和機。
【請求項７】
請求項１から請求項６のいずれか１項に記載の空気調和機であって、
前記突入電流制限回路は、前記突入電流制限抵抗と前記温度ヒューズとを直列に接続しており、前記温度ヒューズは前記突入電流制限抵抗に接していることを特徴とする空気調和機。
【請求項８】
請求項７に記載の空気調和機であって、
前記温度ヒューズは、前記突入電流制限抵抗の周囲に接して取り付けられ、突入電流制限抵抗のボディ温度上昇により溶断されることを特徴とする空気調和機。
【発明の詳細な説明】
【技術分野】
【０００１】
本発明は、電源を投入する際の突入電流を制限するための突入電流制限回路を含む電源回路を備えた空気調和機に係り、特に簡便な手法でエラー表示が可能な突入電流制限回路を含む電源回路を備えた電源回路及び空気調和機に関する。
【背景技術】
【０００２】
空気調和機の電源回路には、電源を投入する際の突入電流を制限するための突入電流制限回路を備えている。突入電流は、特に電源電圧が最大値の時に電源スイッチを投入した場合に多く流れ、電源スイッチの溶着および電源回路のヒューズ溶断や整流回路の部品破壊を起こすため、突入電流制限回路による突入電流の抑制は必須となっている。
【０００３】
一般的に使用されている突入電流防止回路は、リレー接点と電流制限抵抗の並列回路にて構成されている。しかしこのような構成の突入電流制限回路は、リレーが何らかの理由で、そのリレー接点が閉じなくなった場合に、入力電流が常に電流制限抵抗に流れることから、最悪、電流制限抵抗が焼損してしまうという問題があった。
【０００４】
この対策として、温度ヒューズが内蔵された電流制限抵抗が市販されており、これを使用すればリレーが何らかの理由で動作せず、ある値以上の入力電流が電流制限抵抗に流れ続けた場合、内蔵された温度ヒューズが抵抗の温度上昇により溶断し、焼損を防止することができる。
【０００５】
なお特許文献１には、負荷回路異常時に突入電流防止回路の電流制限手段が不安全不良となることを防止するために、電流制限手段と直列に電流制限手段保護手段を設け、負荷回路が短絡故障した場合でもＰＴＣサーミスタが焼損することを防止する技術が開示されている。
【先行技術文献】
【特許文献】
【０００６】
【特許文献１】特開２００７−２６７４７３号公報
【発明の概要】
【発明が解決しようとする課題】
【０００７】
しかしながら、温度ヒューズが内蔵された電流制限抵抗は非内蔵タイプに比べ定格電力が低く、突入電流に対してパルス限界電力内で突入電流防止の機能を満足できる抵抗定数とすると、わずかな入力電流でも電流制限抵抗の電力仕様をオーバしてしまい、温度ヒューズの溶断により空気調和器の運転が停止してしまう恐れがある。
【０００８】
また上記従来構成の突入電流制限回路において、リレーがオープン故障して、そのリレーの開閉部が閉じなくなった場合にこれを簡便に検知して外部にエラー表示させてやる必要がある。
【０００９】
以上のことから本発明においては、突入電流制限回路の焼損を防止し、かつリレーが動作しない場合においても簡易的な手法でエラー表示などの最低限の動作が可能な突入電流制限回路を含む電源回路を備えた空気調和機とすることを目的としている。
【課題を解決するための手段】
【００１０】
本発明は上記課題を解決する手段を複数含んでいるが、その一例を挙げるならば、交流電源に接続され、突入電流制限抵抗と温度ヒューズを有する突入電流制限回路と、突入電流制限回路に接続され、交流を直流に変換する整流回路と、整流回路に接続されたインバータを備えて負荷に給電する電源回路を備えた空気調和機であって、突入電流制限回路は、突入電流制限抵抗と温度ヒューズとを直列に接続した第1の回路と、第１の回路に並列に接続され、リレー接点と電流検出回路を直列に接続した第２の回路とを有し、空気調和機への電源接続後所定時間経過したときに、又は、空気調和機の運転を開始したときに、電流検出回路で電流が検出されない場合、外部に報知し、又は、表示することを特徴とする空気調和機である。
【発明の効果】
【００１１】
本発明により、突入電流制限回路の焼損を防止し、かつリレーが動作しない場合においても簡易的な手法でエラー表示などの最低限の動作が可能とすることができる。
【図面の簡単な説明】
【００１２】
【図１】実施例１に係る空気調和機のサイクル構成図。
【図２】実施例１に係る空気調和機の室外機外観図。
【図３】実施例１に係る突入電流制限回路を備えた空気調和機の電源回路構成を示す図。
【図４】実施例２に係る突入電流制限回路を備えた空気調和機のフローチャート。
【図５】実施例３に係る突入電流制限回路を備えた空気調和機の電源回路構成を示す図。
【発明を実施するための形態】
【００１３】
本発明の実施形態について、適宜図面を参照しながら詳細に説明する。なお、各図において共通する部分には同一の符号を付し、重複した説明を省略する。
【実施例１】
【００１４】
図１は本実施例に係る空気調和機のサイクル構成図である。空気調和機は、室内熱交換器１０１、室外熱交換器１０２、圧縮機１０３、膨張弁１０４、四方弁１０５、室内送風ファン１０６及び室外送風ファン１０７を備えている。圧縮機１０３と室外熱交換器１０２と室外送風ファン（プロペラファン）１０７と膨張弁１０４は室外機１０９（図２参照）に配置され、室内熱交換器１０１と室内送風ファン１０６は室内機（図示せず）に配置されている。
【００１５】
冷房運転時、圧縮機１０３より吐出された高温且つ高圧の冷媒は、四方弁１０５を介して室外熱交換器１０２に流入する。室外熱交換器１０２に流入した冷媒は、室外送風ファン１０７によって送られる室外の空気と熱交換することで、凝縮されて液冷媒となる。液冷媒は、膨張弁１０４を通過することで低温低圧の二相冷媒になり、室内熱交換器１に流入する。室内熱交換器１０１に流入した低温低圧の二相冷媒は、室内送風ファン１０６によって送られる室内の空気と熱交換する。このとき、室内熱交換器１に送られた室内の空気は、室内熱交換器１に流入した低温低圧の二相冷媒によって冷却され、吹出口（図示せず）から室内に吐出される。吹出口（図示せず）から室内に吐出される空気は、吸込口（図示せず）における空気の温度よりも低いため、室内の温度を下げることができる。室内熱交換器１で熱交換された冷媒は四方弁１０５を介して再び圧縮機１０３に戻る。
【００１６】
暖房運転時、圧縮機１０３より吐出された高温且つ高圧の冷媒は、四方弁１０５を介して室内熱交換器１に流入する。そして、四方弁１０５、室外熱交換器１０２を通過して、四方弁１０５を介して圧縮機１０３に戻る。
【００１７】
図２は実施例１に係る空気調和機の室外機の外観図である。室外機１０９内の空間は、仕切り板１２０を挟んで、圧縮機３が設置される圧縮機室１０９ａと、室外送風ファン１０７が設置される送風機室１０９ｂに分割されている。電装品１１９は、圧縮機１０３と上蓋１１０ａの間であって、圧縮機室１０９ａと送風機室１０９ｂとに跨る位置に設置されている。又、電装品１１９は、仕切り板１２０の上方に位置し、仕切り板１２０によって支持されている。
【００１８】
室外の空気は、室外送風ファン１０７によって、室外機１０９の背面側から吸い込まれ、室外熱交換器１０２を通過した後、室外機１０９の前面側（前面パネル１１０ｂ）から吹き出される。
【００１９】
図３は突入電流制限回路６を備えた空気調和機の電源回路構成図である。電源回路は、電源主回路と制御用電源回路１９で構成されている。
【００２０】
このうち空気調和機の電源主回路は、交流電源１、突入電流制限回路６、整流回路を構成するダイオードブリッジ９、平滑コンデンサ１０、インバータ装置２１、負荷である圧縮機モータ２２を主たる構成要素として構成されている。この電源主回路により、交流電源１をダイオードブリッジ９で直流化し、平滑コンデンサ１０で平滑した後に、インバータ装置２１において任意の大きさ、任意の周波数の交流電源に変換して空気調和機の圧縮機モータ２２を駆動する。
【００２１】
空気調和機の制御用電源回路１９は、ダイオードブリッジ９の直流回路側にスイッチング電源トランス１１の主巻線Ｗ１と補助巻線Ｗ３を直列に接続し、二次巻線Ｗ２側のコンデンサ１６に１２（Ｖ）のリレー操作コイル駆動電源Ｅ２を得、また分圧回路１７を介してコンデンサ１８に５（Ｖ）のマイコン駆動電源Ｅ１を得る。なお、スイッチング電源トランス１１の補助巻線Ｗ３に設けたスイッチング電源ＩＣ（１３）のオンオフ制御により、二次巻線Ｗ２側に交流電圧を得、整流用ダイオード１５を介して直流の電源（コンデンサ１６，１８）としている。また補助巻線Ｗ３にダイオード１２とコンデンサ１４を備え、スイッチング電源ＩＣ（１３）の制御用直流電源（コンデンサ１４）としている。
【００２２】
本発明の実施例１の要部である突入電流制限回路６は、図３に示すように突入電流制限抵抗２と温度ヒューズ８、リレー開閉部（接点）３とリレー操作コイル４からなるリレー５で構成されている。
【００２３】
より詳細に述べると、突入電流制限回路６は、交流電源１の投入時に印加される瞬間的な過渡電流を制限する突入電流制限抵抗２と、温度ヒューズ８を直列に接続して第１の回路を構成する。また直列接続された突入電流制限抵抗２と温度ヒューズ８に並列に接続され、接点３が開閉可能であると共に、閉状態時に直列接続された突入電流制限抵抗２と温度ヒューズ８を短絡するリレー開閉部（接点）３を備えている。
【００２４】
上記構成の突入電流制限回路６において、突入電流制限抵抗２は、温度ヒューズ８を非内蔵とするタイプのものを使用し、焼損防止のための温度ヒューズ８は突入電流制限抵抗２の周囲に接して取り付けられている。これにより突入電流制限抵抗２の定格電流以上の入力電流が流れ続けた場合、突入電流制限抵抗２のボディ温度が上昇することを利用し、温度ヒューズを溶断させ焼損を防止する。
【００２５】
このように、突入電流制限抵抗２の周囲に温度ヒューズ８を溶着接続することにより、安価であり、高い電流が流れてもすぐには溶断しないので不必要な溶断が防止でき、汎用性の高いものにすることができる。なお、温度ヒューズ８は、待機電力では溶断しないように溶着接続される。温度ヒューズ８を突入電流制限抵抗２の周囲に取り付ける手段として熱による影響のない金属のプレートやばねにより固定し、取り付けるのがよい。待機電力は突入電流制限抵抗２を介して供給するのがよい。また突入電流制限抵抗２は、金属より熱伝導率が低い材料として、セラミックスケースをセメントで密封するのがよい。
【００２６】
また本発明の実施例１に係る突入電流制限回路６は、リレー開閉部（接点）３と直列に電流検出手段７を備えており、リレー開閉部（接点）３と電流検出手段７により、第２の回路を構成する。
【００２７】
上記構成の実施例によれば、空気調和機への電源投入時は、まず、リレー開閉部（接点）３が開状態の突入電流制限回路６に交流電源１の電源電圧が印加される。その際、平滑コンデンサ１０の充電電流は突入電流制限抵抗２で制限される。
【００２８】
その後、整流回路であるダイオードブリッジ９と、平滑コンデンサ１０により交流電圧は直流電圧に変換され、インバータ装置２１を介して空気調和機の圧縮機モータ２２を駆動する。
【００２９】
また変換された直流電圧は、スイッチング電源ＩＣ（１３）とスイッチング電源トランス１１、スイッチング電源トランス２次側整流ダイオード１５、リレー操作コイル駆動電源Ｅ２（１２Ｖ）用コンデンサ１６、マイコン駆動用電源ＩＣ（１７）およびマイコン駆動電源Ｅ１（５Ｖ）用コンデンサ１８からなる制御電源回路１９によりリレー操作コイル駆動用電源Ｅ２とマイコン駆動用電源Ｅ１となる。
【００３０】
このように、リレー操作コイル駆動用電源Ｅ２とマイコン駆動用電源Ｅ１は突入電流制限回路６の負荷側から作られている。図３の例では、整流回路であるダイオードブリッジ９の直流回路側からリレー操作コイル駆動用電源Ｅ２とマイコン駆動用電源Ｅ１を得ている。後述するが、整流回路であるダイオードブリッジ９の直流側から入力する回路構成とすることにより、安価に制御用電源回路を構成できるという効果がある。
【００３１】
マイコン駆動用電源Ｅ１が生成されるとマイコン２０は動作を開始し、空気調和機は運転待機状態となる。この時、マイコン２０はリレー開閉部（接点）３の開／閉（ＯＦＦ／ＯＮ）状態が正しいことを、突入電流制限回路６に備えられた電流検出手段７からの信号により監視する。
【００３２】
この場合に例えばリレー開閉部（接点）３が正しく動作して閉状態に移行していたとすると、電流検出手段７は第２の回路に流れる電流を検知する。逆にリレー開閉部（接点）３が正しく動作せずに開放状態のままであったとすると、電流検出手段７は第２の回路に流れる電流を検知しない。マイコン２０は、電流検出手段７が電流を検知しているか否かを確認して、リレーがオープン故障していることを判断、検知する。この判断結果は、外部への報知に使用されてもよく、或は空気調和機の運転停止に利用されてもよい。
【００３３】
なおこのような突入電流制限回路６では、突入電流制限抵抗２の定数は電源投入時に印加される瞬間的な過渡電流においてもジュール熱による断線が無く、かつ突入電流防止の機能を満足する定数とするのがよい。また、リレー開閉部（接点）３のオープン故障時においても温度ヒューズ８が溶断することなく、異常表示手段を用いた故障表示により使用者に機器の異常を知らせることが可能な定数とするのがよい。
【実施例２】
【００３４】
次に実施例２について説明する。図４は、マイコン内における処理を示すフロー図である。第１実施形態と異なる部分について説明し、第１実施形態と重複する部分については説明を省略する。
【００３５】
図４のフローは、空気調和機の電源が投入され、マイコン駆動用電源ＩＣ（１７）およびマイコン駆動電源Ｅ１（５Ｖ）用コンデンサ１８の作用によりマイコン駆動用電源Ｅ１が確立した状態から開始される。
【００３６】
電源確立後の最初の処理ステップＳ１では、運転待機状態とし、処理ステップＳ２の判断でリモコンからの信号の有無を確認して、リモコンからの信号があるまで、待機する。このように、実施例２における突入電流制限回路を備えた空気調和機は、電源投入後マイコン２０が運転待機状態となり、リモートコントローラ（リモコン）から運転信号が来るまでは運転待機状態を保持する。具体的にはリレー開閉部（接点）３を開状態（ＯＦＦ）のままで維持する。この間は突入電流制限抵抗２を介した電流でマイコン駆動用電源Ｅ１が生成される。
【００３７】
リモコンからの信号があった場合、処理ステップＳ３では、運転開始信号と運転停止信号の区別を行う。運転停止の場合には処理ステップＳ４ｂに移りリレー５をオフとし、リレー開閉部（接点）３を開状態（ＯＦＦ）とする。運転開始の場合には処理ステップＳ４ａに移りリレー５をオンとし、リレー開閉部（接点）３を閉状態（ＯＮ）とする。この状態は、使用者がリモートコントローラ（リモコン）を操作した状態であり、運転開始信号がマイコン２０に入力される。マイコン２０はリレー開閉部（接点）３を閉状態（ＯＮ）とする制御を行う。
【００３８】
なおここで、運転開始の場合にリレー５をオンとするためには、マイコン２０内の図示せぬパワー半導体をオンとすることで、リレー操作コイル駆動用電源Ｅ２の１２（Ｖ）を、リレー操作コイル４の両端子間に印加してこれを励磁し、リレー開閉部（接点）３を閉じることで実現する。
【００３９】
リレー開閉部（接点）３の閉状態（ＯＮ）により、処理ステップＳ１０では電流検出器７から第２の直列回路に流れる電流を検知入力する。また電流検出手段７により検知した電流からリレー開閉部（接点）３の開閉状態を確認する。この場合に例えばリレー開閉部（接点）３が正しく動作して閉状態に移行していたとすると、電流検出手段７は第２の回路に流れる電流を検知する。逆にリレー開閉部（接点）３が正しく動作せずに開放状態のままであったとすると、電流検出手段７は第２の回路に流れる電流を検知しない。これにより、電流有によりリレー開閉部（接点）３が閉とし、電流なしによりリレー開閉部（接点）３の開放と判断することができる。
【００４０】
処理ステップＳ５では、リレー開閉部（接点）３の開閉から、いわゆるオープン故障を判断する。運転中、リレー開閉部（接点）３が閉状態（ＯＮ）に制御されているにも関わらず、リレー開閉部（接点）３が開状態（ＯＦＦ）であると検出されるとマイコン２０はリレー５が故障したと判断し、処理ステップＳ７に移り、空気調和機の運転を停止し、且つ部品の故障を使用者に知らせるため異常表示手段により故障表示を行う。
【００４１】
故障がないと判断された場合には、処理ステップＳ６に移り運転継続する。処理ステップＳ８では運転停止信号ありになるまで運転を継続し、運転停止信号が与えられると運転停止し、リレーをＯＦＦする。使用者がリモートコントローラ（リモコン）により運転停止し運転待機状態となった場合は、リレー開閉部（接点）を開状態（ＯＦＦ）とする制御を行う。この結果、使用者は突入電流制限回路６が故障していることを知ることができる。
【００４２】
なお、本発明の実施例１および実施例２の形態で、リレー５および電流検出手段７が異常となり、リレー開閉部（接点）３が正常に閉じない場合には温度ヒューズ８が突入電流制限抵抗２の発熱で溶断し、マイコン駆動用電源が生成されなくなるため空気調和機の運転は停止する。本発明の実施例は、電流検出と温度ヒューズ８による二重の対策を行うものであり、温度ヒューズ８の溶断による停止以前に運転停止および、異常発生を放置可能としたものである。
【００４３】
また図４のフロー図においては、マイコン立ち上げ後であって、かつリモコンから運転開始信号が与えられた時点でリレー５を閉操作しているが、これはリモコンからの指示を待たずにマイコン立ち上げの直後の時点（電源が確立しており、突入電流から通常電流になっている状態と推定できる）でリレー５を閉操作してもよい。
【００４４】
以上説明した実施例２では空気調和機の各種運転モードにおける動作などを説明しているが、この一連の処理における突入電流制限回路の特に温度ヒューズの態様は以下のとおりである。まず温度ヒューズは、突入電流制限抵抗の周囲に接して取り付けられ、突入電流制限抵抗のボディ温度上昇により溶断されるものである。
【００４５】
然るに具体的にどのような場面での溶断を期待しているかというと、温度ヒューズは、電源投入時、電源回路の負荷の待機動作、および外部報知又は表示のための故障表示動作で消費される電力では溶断することなく、リレー接点のオープン故障時に溶断するものとされる。温度ヒューズ８と突入電流制限抵抗２による第１の回路には、運転開始までの待機期間中には電流が流れているが、係る待機状態での電流では溶断しないものとされる。運転開始により閉じられたはずのリレー開閉部（接点）３が正常に閉じない場合に、第１の回路に流れ続ける負荷電流により、突入電流制限抵抗のボディ温度が上昇し溶断されることになる。
【００４６】
温度ヒューズ８がこのように機能するためには、突入電流制限抵抗２の特性が適正に定められている必要がある。このため、突入電流制限抵抗は、リレー接点が開状態時に突入電流を制限すると共に、リレー接点が開状態においても電源回路の負荷の待機動作および、および外部報知又は表示のための故障表示等、負荷運転を伴わない動作が可能であるような値に設定される必要がある。
【実施例３】
【００４７】
図５は本発明の実施例３における突入電流防止回路の回路図を示すものである。
【００４８】
実施例３は制御用電源回路１９の電源を、突入電流制限回路６より電源側から得る回路構成としたものである。図５において、２３は電源回路用突入電流制限抵抗、２４は電源回路用ダイオードブリッジ、２５は電源回路用平滑コンデンサである。
【００４９】
図５の構成によれば、電源が投入されると、突入電流は、電源回路用突入電流制限抵抗２３側にも流れ、電源回路用ダイオードブリッジ２４と電源回路用平滑コンデンサ２５により交流電圧が直流電圧に変換される。直流電圧が電源回路１９に印加されると、リレー操作コイル駆動用電源Ｅ２とマイコン駆動用電源Ｅ１が生成される。これによりマイコン２０は動作を開始し、リレー開閉部（接点）３の開／閉（ＯＦＦ／ＯＮ）制御が可能となる。なお、その他の動作については本発明の実施例１と同じなので省略する。
【００５０】
以上述べた本発明によれば、電源主回路から制御用電源を確保してマイコンを駆動し、第２の直列回路にリレー接点と直列に設けられた電流検出回路で検出した電流により電流の有無を確認し、異常検知しているので、突入電流制限抵抗を保護しながら、確実に異常検知することができる。
【００５１】
なお図５に示す制御用電源回路１９は、整流回路の直流側から得る回路構成であるに対し、図５に示す制御用電源回路１９は、突入電流制限回路６より電源側から得る回路構成としたものである。図５の場合には、突入電流制限回路６のヒューズ溶断などの場合にも電源確保が可能であり、マイコン２０による動作が期待できるが、電源回路用ダイオードブリッジ２４を新たに設ける必要があり高価となる。図５の場合には、突入電流制限回路６のヒューズ溶断などの場合に電源確保ができず、マイコン２０による動作が期待できないが、電源回路用ダイオードブリッジ２４を新たに設ける必要がないので安価に構成できる。
【符号の説明】
【００５２】
１：交流電源
２：突入電流制限抵抗
３：リレー開閉部（接点）
４：リレー操作コイル
５：リレー
６：突入電流制限回路
７：電流検出手段
８：温度ヒューズ
９：ダイオードブリッジ（整流回路）
１０：平滑コンデンサ
１１：スイッチング電源トランス
１２：スイッチングＩＣ制御電源生成用ダイオード
１３：スイッチング電源ＩＣ
１４：スイッチングＩＣ制御電源生成用平滑コンデンサ
１５：トランス２次側整流ダイオード
１６：リレー操作コイル電源用平滑コンデンサ
１７：分圧回路
１８：マイコン駆動電源用平滑コンデンサ
１９：制御用電源回路
２０：マイコン
２１：インバータ装置
２２：圧縮機モータ
２３：電源回路用突入電流制限抵抗
２４：電源回路用ダイオードブリッジ
２５：電源回路用平滑コンデンサ
１０１：室内熱交換器
１０２：室外熱交換器
１０３：圧縮機
１０４：膨張弁
１０５：四方弁
１０６：室内送風ファン
１０７：室外送風ファン
１０９：室外機
１０９ａ：圧縮機室
１０９ｂ：送風機室
１１０ｂ：前面パネル
１１９：電装品
１２０：仕切り板
【図１】
2016213956.tif 000003
【図２】
2016213956.tif 000004
【図３】
2016213956.tif 000005
【図４】
2016213956.tif 000006
【図５】
2016213956.tif 000007